(57)【要約】【課題】光透過性を確保しつつ、黒色などの濃色を実現した時計用文字板およびこの文字板を備えた時計を提供する。【解決手段】文字板１０に少なくとも一方側の面１２Ａを斜面にした略Ｖ字状の溝１２を複数本、並行に並べて形成し、各溝１２の斜面１２Ａに黒色層１５を設けるようにした。【選択図】図３
2008089326.tif 000002
【特許請求の範囲】
【請求項１】
透明板の表面又は裏面に、少なくとも一方側の面を斜面にした略Ｖ字状の溝を複数本、並行に並べて形成し、各溝の前記斜面に光吸収層を設けたことを特徴とする光透過性を有する時計用文字板。
【請求項２】
請求項１に記載の時計用文字板において、
前記光吸収層は、光を遮断する黒色層であることを特徴とする時計用文字板。
【請求項３】
請求項１又は２に記載の時計用文字板において、
前記光吸収層を設けた斜面の傾斜角度を、前記溝の他方側の面の傾斜角度より鋭角にしたことを特徴とする時計用文字板。
【請求項４】
請求項３に記載の時計用文字板において、
前記溝の他方側の面の傾斜角度を９０°未満にしたことを特徴とする時計用文字板。
【請求項５】
請求項３又は４に記載の時計用文字板において、
前記溝が形成する方向を３時と９時を結ぶ方向に沿わせて前記溝を配列したことを特徴とする時計用文字板。
【請求項６】
請求項１乃至５のいずれかに記載の時計用文字板において、
互いに隣接する前記各溝の面をつなげたことを特徴とする時計用文字板。
【請求項７】
請求項１乃至６のいずれかに記載の時計用文字板において、
前記光吸収層と前記斜面との間に光反射層を設けたことを特徴とする時計用文字板。
【請求項８】
光透過性を有する時計用文字板を備えた時計において、
前記時計用文字板は、透明板の表面又は裏面に、少なくとも一方側の面を斜面にした略Ｖ字状の溝が複数本、並行に並べて形成され、各溝の前記傾斜面に光吸収層が設けられることを特徴とする時計。
【請求項９】
請求項８に記載の時計において、
前記時計は、前記時計用文字板の裏側にソーラーセルを配置したソーラー時計として構成されていることを特徴とする時計。
【発明の詳細な説明】
【技術分野】
【０００１】
本発明は、光透過性を有する時計用文字板およびこの文字板を備えた時計に関し、濃色の文字板を表現する技術に関する。
【背景技術】
【０００２】
ソーラーセルを時計の駆動エネルギー源とするソーラー時計においては、ソーラーセルを文字板の裏側に配置するために文字板に光透過性が要求される。
この種の文字板には、文字板に複数の凹部を同心円状に形成し、各凹部に着色樹脂を充填して、文字板に着色樹脂の色が現れるようにするものがある（例えば、特許文献１参照）。
また、この種の文字板には、文字板の表面に垂直面と斜面とを交互に形成し、斜面に金属コートを施することにより、文字板にメタリック感を付与すると共に、この金属コートで反射した光を垂直面に入射させてソーラーセルに照射させるものがある。
【特許文献１】特開２００５−２２７０４７号公報
【特許文献２】特開２００５−２６５７８２号公報
【発明の開示】
【発明が解決しようとする課題】
【０００３】
しかし、特許文献１記載の技術では、文字板をいずれの角度から見ても色ムラが生じやすく、また、文字板の凹部に黒色などの濃色の樹脂を充填すると、光透過量が不足してしまうおそれがあり、略全体が黒色の文字板を表現するのは難しかった。
また、特許文献２記載の構成では、斜面の金属コートが、金属色に見せるだけでなく、この斜面に入射した光をソーラーセルに入射させる反射面を得る機能を兼ねているので、この金属コートに代えて、黒色などの光を殆ど反射しない濃色にすると光透過量が不足してしまう。従って、この構成によっても、略全体が黒色の文字板を実現することが困難であった。
【０００４】
本発明は、上述した事情に鑑みてなされたものであり、光透過性を確保しつつ、黒色などの濃色を実現した時計用文字板およびこの文字板を備えた時計を提供することを目的としている。
【課題を解決するための手段】
【０００５】
上記課題を解決するため、本発明は、光透過性を有する時計用文字板において、透明板の表面又は裏面に、少なくとも一方側の面を斜面にした略Ｖ字状の溝を複数本、並行に並べて形成し、各溝の前記斜面に光吸収層を設けたことを特徴とする。
この発明によれば、透明板の表面又は裏面に、少なくとも一方側の面を斜面にした略Ｖ字状の溝を複数本、並行に並べて形成し、各溝の前記斜面に光吸収層を設けたので、その斜面が向く方向から文字板を視認した場合に、光吸収層によって濃色に見える文字板が実現され、かつ、この斜面以外の面から光が文字板内に入射するので、光透過性を確保することができる。
【０００６】
上記構成において、前記光吸収層は、光を遮断する黒色層であることが好ましい。この構成によれば、漆黒の文字板を表現することができる。
また、上記構成において、前記光吸収層を設けた斜面の傾斜角度を、前記溝の他方側の面の傾斜角度より鋭角にすることが好ましい。この構成によれば、連続する光吸収層の面積を広く確保でき、漆黒などの濃色の文字板をより実現し易くすることができる。
【０００７】
また、上記構成において、前記溝の他方側の面の傾斜角度を９０°未満にすることが好ましい。この構成によれば、この他方側の面の光透過量を増やすことができる。
また、上記構成において、前記溝が形成する方向を３時と９時を結ぶ方向に沿わせて前記溝を配列することが好ましい。この構成によれば、使用者から見て、文字板を視認した場合に、光吸収層によって濃色に見える文字板が実現され、かつ、この斜面以外の面から光が文字板内に入射するので、光透過性を確保することができる。
また、上記構成において、互いに隣接する前記各溝の面をつなげることが好ましい。この構成によれば、文字板の表面から平坦面を排除でき、略全体が濃色の文字板を実現可能になる。
【０００８】
また、本発明は、光透過性を有する時計用文字板を備えた時計において、前記時計用文字板は、透明板の表面又は裏面に、少なくとも一方側の面を斜面にした略Ｖ字状の溝が複数本、並行に並べて形成され、各溝の前記傾斜面に光吸収層が設けられることを特徴とする。
この発明によれば、時計用文字板は、透明板の表面又は裏面に、少なくとも一方側の面を斜面にした略Ｖ字状の溝が複数本、並行に並べて形成され、各溝の前記傾斜面に光吸収層が設けられるので、その斜面が向く方向から文字板を視認した場合に、光吸収層によって濃色に見える文字板が実現され、かつ、この斜面以外の面から光が文字板内に入射するので、光透過性を確保することができる。
【０００９】
また、上記構成において、前記時計は、前記時計用文字板の裏側にソーラーセルを配置したソーラー時計として構成されていることが好ましい。この構成によれば、ソーラーセルによる駆動エネルギーを十分に確保しつつ、濃色に見える文字板を実現したソーラー時計を提供することが可能になる。
【発明の効果】
【００１０】
本発明は、時計用文字板は、透明板の表面又は裏面に、少なくとも一方側の面を斜面にした略Ｖ字状の溝が複数本、並行に並べて形成され、各溝の前記傾斜面に光吸収層が設けられるので、光透過性を確保しつつ、濃色に見える時計用文字板を実現することができる。
【発明を実施するための最良の形態】
【００１１】
以下、図面を参照して本発明の一実施形態について説明する。
図１は、本発明の実施形態に係る腕時計型のソーラー充電式電波時計（以下、腕時計という）の外観を示す図であり、図２はその断面構造の概要を示す図である。
この腕時計１は、時計ケース２と、この時計ケース２に連結された一対のバンド（帯状体）３とを備えている。時計ケース２は、ステンレス、チタンなどの金属材またはプラスチックなどの樹脂材で形成され、その内部に貫通孔２Ａ（図２参照）を有している。時計ケース２の貫通孔２Ａには、時計表側から順に、光透過性を有する文字板１０、ソーラーセル（太陽電池）２０、ムーブメント３０が積層配置されており、文字板１０上には、ムーブメント３０の秒車、２番車および筒車から延びる各軸２１、２２、２３に各々連結された秒針５、分針６および時針７からなる３つの表示指針が配置され、この貫通孔２Ａの時計表側がカバーガラス４０で封止され、裏側が裏蓋４１で封止されている。
【００１２】
また、カバーガラス４０と時計ケース２との間、および、裏蓋４１と時計ケース２との間にはパッキン４２、４３が各々配置されて時計ケース２内の密封性が確保されている。また、時計ケース２の外側には、竜頭８と操作ボタン９とが設けられている。
【００１３】
ソーラーセル２０は、カバーガラス４０および文字板１０を通過した太陽光を受光して発電し、発電電力をムーブメント３０に供給することにより、ムーブメント３０に取り付けられた二次電池（不図示）を充電させるものである。
【００１４】
ムーブメント３０は、秒針５、分針６および時針７からなる３つの表示指針を駆動するための輪列機構、駆動モータおよび計時回路と、これら表示指針の位置を検出する針位置検出回路と、長波標準電波（日本ＪＪＹ：４０ｋＨｚ／６０ｋＨｚ、アメリカＷＷＶＢ：６０ｋＨｚ、ドイツＤＣＦ７７：７７．５ｋＨｚ）を受信するアンテナなどの受信回路と、二次電池の充電や二次電池の蓄電電力を各部に供給する電源回路と、この腕時計１全体を制御する制御回路などを備えている。
この制御回路は、大別すると、計時回路から出力されるパルス信号に基づいて駆動モータを駆動して秒針５、分針６および時針７を回転駆動する駆動処理と、受信回路により長波標準電波を受信して受信結果から復号したタイムコードに基づき、秒針５、分針６および時針７による表示時刻を修正する時刻修正処理とを行い、正確な時刻を表示させることができる。なお、上記操作ボタン９は、例えば、この制御回路に上記長波標準電波の強制受信を指示する操作子である。
【００１５】
図３は文字板１０を側面から見た図を示している。文字板１０は、透明板１１を有し、この透明板１１の表面には、複数の略Ｖ字状の溝（以下、Ｖ字溝という）１２が互いに平行に形成されている。なお、この透明板１１は、ソーラーセル２０用の透明電極などを配置する透明基板として使用してもよい。
これらＶ字溝１２は、同じ断面形状を有し、より具体的には、各Ｖ字溝１２によって形成される左右一対の面１２Ａ、１２Ｂが互いに異なる傾斜角度θＡ、θＢの斜面に形成されている。ここで、傾斜角度θＡ、θＢは、いずれも０°より大きく、９０°より小さい角度である。なお、Ｖ字溝１２の内角θＣは、１８０°−（θＡ＋θＢ）である。
【００１６】
また、これらＶ字溝１２は、文字板１０を腕時計１に配置した場合に、図１に示すように、腕時計１の３時−９時方向に沿って直線状に延び、そのピッチ（１２時−６時方向の間隔）Ｐも同じ間隔に形成される。なお、図１は、説明を分かり易くするため、各Ｖ字溝１２を実際のピッチＰより大きいピッチで示しており、実際には、目視では各溝１２を殆ど判別不能な小さいピッチＰとされている。
これによって、各Ｖ字溝１２における左右一対の斜面１２Ａ、１２Ｂのうち、一方側（１２時側）の斜面１２Ａを、腕時計１の６時側に向いた傾斜角度θＡの斜面にし、他方側（６時側）の斜面１２Ｂを、１２時側に向いた傾斜角度θＢの斜面にすることができる。
【００１７】
また、上記Ｖ字溝１２のピッチＰは、これら溝１２の幅と一致しており、これによって、互いに隣接するＶ字溝１２の斜面１２Ａ、１２Ｂがつながり、文字板１０の表面から平坦面が排除されている。なお、文字板１０の表面から平坦面を排除するエリアは、カバーガラス４０を介して外部から視認されるエリアであればよく、外部から視認されないエリア、具体的には、時計ケース２で見えない周縁部分は平坦面にしてもよい。
【００１８】
さらに、上記斜面１２Ａには、この斜面１２Ａ全体に黒色塗料を塗布することによって光を完全遮断する黒色層１５が設けられる。なお、黒色塗料を塗布する方法以外の公知の方法で黒色層１５を設けるようにしてもよい。
【００１９】
ところで、この種の腕時計１を手首に装着した装着者（ユーザ）は、文字板１０を視認する場合、図３に符号αで視認方向を示すように、略６時方向から文字板１０を視認するので、文字板１０の６時側に向いた傾斜角度θＡの斜面１２Ａを装着者に視認させることが可能になる。この場合、斜面１２Ａが外部からの光（図３に符号Ｌ１で示す）を吸収するので、装着者に高級感のある漆黒の黒を見せることができる。
また、本実施形態では、この斜面１２Ａの傾斜角度θＡが、斜面１２Ｂの傾斜角度θＢよりも鋭角（θＡ＜θＢ）とされることにより、黒色層１５が設けられる斜面１２Ａの面積を斜面１２Ｂの面積よりも広く確保している。
【００２０】
斜面１２Ｂは、透明のままとされ、これにより、図３に示すように、外部からの太陽光や照明光などの光（図３に符号Ｌ２で示す）が、この斜面１２Ｂから文字板１０内に入射してソーラーセル２０に照射される。
ここで、斜面１２Ｂの傾斜角度θＢは、ソーラーセル２０が発電をするのに必要な開口面積（開口率）を確保しつつ、言い換えると、光が入射する斜面１２Ｂの面積を確保しつつ、装着者の視認角度θ０（図３参照）が変動しても斜面１２Ｂが視認され難い角度に設定される。
このように傾斜角度θＡ、θＢは、０°より大きく、かつ、９０°以下の範囲であって、かつ、θＡ＜θＢの角度に設定され、具体的には、本実施形態では、装着者の視認角度θ０が０°から５０°の範囲で変動しても斜面１２Ｂが視認されないように、傾斜角度θＢが５０°に設定されると共に、傾斜角度θＡが３５°に設定される。
【００２１】
次にこの文字板１０の製造方法を説明する。なお、以下の説明では、上述した傾斜角度θＡ＝３５°、傾斜角度θＢ＝５０°、Ｖ字溝１２のピッチＰ＝１８０［μｍ］の文字板１０を製造する場合を例に説明する。この場合、Ｖ字溝１２の内角θＣは９５°となり、Ｖ字溝の深さＨは約８５［μｍ］となる。
この文字板１０の透明板１１は、射出成型によって成型される。この場合の射出成型用の金型（反型）は、後述する斜面１２Ｂの削り代を確保するため、図４に示すように、傾斜角度θＢを最終製品よりも若干大きい傾斜角度θＢ’＝５５°としてＶ字溝１２’の内角θＣ’を９０°とした複数のＶ字溝１２’の反転形状が形成される。
【００２２】
次いで、ポリカーボネート樹脂の射出成型により、片面にＶ字溝１２’が形成された透明板（或いは透明基板）１１（図４参照）の板材（以下、透明板材という）が作成される。なお、モールド型によるモールド成型を適用してもよい。また、上述の射出成型に代えて、透明のポリカーボネート樹脂製の板を原板とし、この片面に紫外線硬化型のポリカーボネート樹脂を塗布し、金型で押さえた状態で紫外線を照射して硬化させる、いわゆる２Ｐ法によりＶ字溝１２’のパターンを作成してもよい。さらに、ポリカーボネート樹脂に限らず、アクリル樹脂などの他の透明樹脂を適用してもよく、透明板１１の原板の部分とＶ字溝１２’の部分とを別材料で形成してもよい。
【００２３】
続いて、上記透明板材には、Ｖ字溝１２’が形成された面全体に、艶消しの黒色塗料（例えばアクリルウレタン系塗料）が塗布されて、光を透過しない黒色被膜が施される。その後、透明板１１は、Ｖ字溝１２’に沿って、左右一対の斜面１２Ａ、１２Ｂ’のうちの斜面１２Ａに接触しないようにしながら、斜面１２Ｂ’を表面から削り代分（５°傾けた面まで）、切削される。この結果、斜面１２Ｂ’の黒色皮膜が削られて透明な面が露出する。
このようにして作成された透明板材は、文字板形状（略円板形状）にプレス抜きすることにより、図３に示すように、黒色層１５を設けた斜面１２Ａと、黒色層１５のない斜面１２Ｂとを形成するＶ字溝１２を並べた文字板１０が作成される。
【００２４】
以上説明したように、本実施形態によれば、文字板１０にＶ字溝１２を複数本、平行に並べて形成し、各溝１２の６時側に向いた斜面１２Ａだけに黒色層１５を設けたので、腕時計１を手首に装着した装着者が時刻を確認した場合、装着者には斜面１２Ａの黒色層１５だけが見えるので、高級感のある漆黒の文字板１０を表現でき、文字板１０の品位が向上すると共に、表示指針５〜７とのコントラストが向上して時刻視認性が向上する。
この場合、文字板１０におけるＶ字溝１２の他方の斜面１２Ｂが透明なので、斜面１２Ａ以外の斜面１２Ｂから光Ｌ２（図３参照）が入射してソーラーセル２０に照射される。従って、この文字板１０に必要とされる光透過性を容易に確保して十分な駆動エネルギーを得ることができる。
なお、図３に示すように、黒色層１５は、斜面１２Ｂに入射した光Ｌ２が文字板１０の裏面などで反射した場合もその光Ｌ２を吸収するので、これによっても、漆黒の文字板１０が実現される。
【００２５】
ここで、この腕時計１は、装着者側以外（６時側以外）から見ると、文字板１０の漆黒の外観は喪失してしまうが、腕時計を見るのは主に装着者側となるので問題はない。また、文字板全体に半透過膜を形成したものに比べても、装着者側以外からの光の透過量が多い上、装着状態で光源に対する文字板１０の方向が頻繁に変化するため、非装着側からの光だけでも駆動エネルギーを十分に確保することが可能である。
【００２６】
また、本実施形態では、黒色層１５を設けた斜面１２Ａの傾斜角度θＡを、他方の斜面１２Ｂの傾斜角度θＢよりも鋭角にしたので、連続する黒色層１５の面積を広く確保でき、漆黒の文字板１０をより表現し易くなると共に、斜面１２Ｂを装着者に見え難くすることができる。
さらに、光をソーラーセル２０に入射させる斜面１２Ｂの傾斜角度θＢを、９０°未満の角度にしたので、外部からの光Ｌ２を斜面１２Ｂに入射し易くすることができ、ソーラーセル２０が発電するのに十分な開口面積（開口率）を容易に確保することができる。
この時の光の透過量は、光源からの光の方向と、それに対向する文字板１０の斜面１２Ｂの対向角度により変化するが、光の透過率として入射光に対し最低３０％の透過が確保されれば良い。
また、Ｖ字溝１２のピッチＰを溝１２の幅と一致させて互いに隣接する斜面１２Ａ、１２Ｂをつなげたので、文字板１０の表面から平坦面を排除でき、腕時計１を装着した装着者に黒色層１５だけを視認させることができ、全体が漆黒の文字板１０をより確実に実現することができる。
【００２７】
なお、本発明は上述の実施形態に限定されるものではなく、本発明の目的を達成できる範囲での変形、改良などは本発明に含まれるものである。例えば、上記実施形態においては、Ｖ字溝１２を３時−６時方向へ直線状に形成する場合について説明したが、これに限らず、装着者が文字板１０を見た場合に、黒色層１５を設けた斜面１２Ａだけが見える略Ｖ字状の溝１２を広く適用でき、例えば、図５に示すように、３時−６時方向へジグザグ状に延びるＶ字状の溝１２を適用してもよい。
【００２８】
また、上述の実施形態において、図６に示すように、黒色層１５と斜面１２Ａとの間に光反射層１７を設けるようにしてもよい。なお、図６においては、光反射層１７を斜線のハッチングを付して示している。この構成によれば、光反射層１７が、斜面１２Ｂから入射して文字板１０の裏面などで反射した光Ｌ２を反射してソーラーセル２０へ照射させることができ、ソーラーセル２０への光照射量を増やすことができる。
また、上述の実施形態では、黒色層１５を設ける場合について説明したが、これに限らず、要は、黒色を含む濃色を表現可能な光吸収層を適用すればよい。これにより、黒色に限らず、品位の高い濃色の文字板を容易に実現することができる。
【００２９】
また、上述の実施形態では、文字板１０の表面にＶ字溝１２を並べて形成する場合について説明したが、これに限らず、文字板１０の裏面に上記のＶ字溝１２を並べて形成するようにしてもよい。
また、上記実施形態では、Ｖ字溝１２によって形成される左右一対の面１２Ａ、１２Ｂをいずれも斜面とする場合について説明したが、これに限らず、少なくとも黒色層１５を設ける面１２Ａを斜面にすればよく、他方の面１２Ｂについては、十分な光透過量を確保可能であれば、垂直面（傾斜角度θＢ＝９０°）を適用してもよい。
さらに、上述の実施形態では、文字板１０の裏側にソーラーセル２０を配置したソーラ充電式電波時計に本発明を適用する場合について説明したが、ソーラー電波時計に限らず、電波方式を伴わないソーラー時計にも使用できることは言うまでもない。また、文字板１０の裏側にエレクトロルミネッセンス板などの文字板照明装置を配置した腕時計にも適用でき、要は、文字板に光透過性が必要となる時計に広く適用が可能である。また、腕時計に限らず、懐中時計などの他の携帯型の時計や、置き時計などの固定型の時計に広く適用が可能である。
【図面の簡単な説明】
【００３０】
【図１】本発明の実施形態に係る腕時計の外観を示す図である。
【図２】腕時計の断面構造の概要を示す図である。
【図３】文字板の一部側面図である。
【図４】成型後の文字板の透明板の一部側面図である。
【図５】変形例に係る腕時計の外観を示す図である。
【図６】変形例に係る文字板の一部側面図である。
【符号の説明】
【００３１】
１…腕時計（ソーラー時計）、２…時計ケース、３…バンド、５、６、７…表示指針、９…操作ボタン、１０…文字板、１１…透明板、１２…Ｖ字状の溝（Ｖ字溝）１２Ａ、１２Ｂ…斜面、１５…黒色層（光吸収層）、１７…光反射層、２０…ソーラーセル、３０…ムーブメント（電子時計用ムーブメント）、４０…カバーガラス、４１…裏蓋。
【図１】
2008089326.tif 000003
【図２】
2008089326.tif 000004
【図３】
2008089326.tif 000005
【図４】
2008089326.tif 000006
【図５】
2008089326.tif 000007
【図６】
2008089326.tif 000008